【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
インクジェット・プリンタであって、
基板と、前記基板上に設けられて複数のインク放出オリフィスを有するノズル・プレートと、前記基板上の複数の噴射ヒータであり、前記複数のインク放出オリフィスと流体的に接続されて該複数のインク放出オリフィスから放出されるインクを加熱する複数の噴射ヒータと、前記基板を加熱する少なくとも１つの基板ヒータと、前記噴出ヒータ及び前記基板ヒータの各々が第１端子及び第２端子をそれぞれ含み、第１の前記噴出ヒータと前記少なくとも１つの基板ヒータとが１つの共通する前記第１端子を有することと、を含む印刷ヘッドと、
電圧源と、
前記電圧源と接続させられている複数の励起可能な出力を有する印刷ヘッド・ドライバであり、前記複数の出力が少なくとも１つの電力ライン出力及び少なくとも２つのイネーブル・ライン出力を含み、前記１つの電力ライン出力が前記第１の噴射ヒータと前記少なくとも１つの基板ヒータとの前記共通する第１端子と電気的に接続されており、前記少なくとも２つのイネーブル・ライン出力の内の第１のイネーブル・ライン出力が前記第１の噴射ヒータの前記第２端子と前記少なくとも１つの基板ヒータの前記第２端子との内の少なくとも１つと結合されており、前記少なくとも２つのイネーブル・ライン出力の内の第２のイネーブル・ライン出力が前記第１の噴射ヒータの前記第２端子と前記少なくとも１つの基板ヒータの前記第２端子との内の少なくとも１つと結合されており、前記少なくとも１つの電力ライン出力の励起中に、前記第１の噴射ヒータと前記少なくとも１つの基板ヒータとの内の少なくとも１つが、前記少なくとも２つのイネーブル・ライン出力の内の少なくとも１つが励起されている間に電力を吸収することから成る印刷ヘッド・ドライバと、
を備えるインクジェット・プリンタ。
【請求項２】
前記少なくとも２つのイネーブル・ライン出力の内の第１のイネーブル・ライン出力が前記第１の噴射ヒートの前記第２端子と結合されていると共に、前記少なくとも２つのイネーブル・ライン出力の内の第２のイネーブル・ライン出力が前記少なくとも１つの基板ヒータの前記第２端子と結合されており、前記第１のイネーブル・ライン出力が励起されている間に前記第１の噴射ヒータが電力を吸収し、前記第２のイネーブル・ライン出力が励起されている間に前記少なくとも１つの基板ヒータが電力を吸収する、請求項１に記載のインクジェット・プリンタ。
【請求項３】
前記少なくとも２つのイネーブル・ライン出力の内の第１のイネーブル・ライン出力が前記第１の噴射ヒータの前記第２端子と前記少なくとも１つの基板ヒータの前記第２端子とに結合されており、前記少なくとも２つのイネーブル・ライン出力の内の第２のイネーブル・ライン出力が第２の噴射ヒータの前記第２端子と前記少なくとも１つの基板ヒータの前記第２端子とに結合されており、前記第１及び第２のイネーブル・ライン出力を選択的に励起することによって、電力が、前記第１の噴射ヒータ、前記第２の噴射ヒータ、並びに、前記少なくとも１つの基板ヒータの内の少なくとも１つに付与される、請求項１に記載のインクジェット・プリンタ。
【請求項４】
前記第１のイネーブル・ライン出力が前記第１の噴射ヒータに電力を付与するために個別的に励起され、前記第２のイネーブル・ライン出力が前記第１の噴射ヒータに電力を付与するために個別的に励起され、前記第１及び第２のイネーブル・ライン出力が前記少なくとも１つの基板ヒータに電力を付与するために同時に励起される、請求項３に記載のインクジェット・プリンタ。
【請求項５】
前記少なくとも２つのイネーブル・ライン出力が選択ライン出力を含み、前記印刷ヘッド・ドライバが前記選択ライン出力を有する電気的プロセッサを更に備え、該選択ライン出力が前記印刷ヘッドと接続されると共に該印刷ヘッドに少なくとも１つの選択信号を提供し、前記第１の噴射ヒータの電力の前記吸収が前記選択信号に依存する、請求項１に記載のインクジェット・プリンタ。
【請求項６】
前記選択信号が前記少なくとも２つのイネーブル・ライン出力の内の１つを前記第１の噴出ヒータと結合或は結合解除する、請求項５に記載のインクジェット・プリンタ。
【請求項７】
インクジェット・プリンタ内の印刷ヘッドの作動温度を制御する方法であって、
基板と、前記基板上に設けられて複数のインク放出オリフィスを有するノズル・プレートと、前記基板上の複数の噴射ヒータであり、前記複数のインク放出オリフィスと流体的に接続されて該複数のインク放出オリフィスから放出されるインクを加熱する複数の噴射ヒータと、前記基板を加熱する少なくとも１つの基板ヒータと、前記噴出ヒータ及び前記基板ヒータの各々が第１端子及び第２端子をそれぞれ含み、第１の前記噴出ヒータと前記少なくとも１つの基板ヒータとが１つの共通する前記第１端子を有することと、を含む印刷ヘッドを提供する段階と、
電圧源を提供する段階と、
前記電圧源と接続させられている複数の励起可能な出力を有する印刷ヘッド・ドライバであり、前記複数の出力が少なくとも１つの電力ライン出力及び少なくとも２つのイネーブル・ライン出力を含み、前記１つの電力ライン出力を前記第１の噴射ヒータと前記少なくとも１つの基板ヒータとの前記共通する第１端子と電気的に接続する印刷ヘッド・ドライバを提供する段階と、
前記少なくとも２つのイネーブル・ライン出力の内の第１のイネーブル・ライン出力を前記第１の噴射ヒータの前記第２端子と前記少なくとも１つの基板ヒータの前記第２端子との内の少なくとも１つと結合し、前記少なくとも２つのイネーブル・ライン出力の内の第２のイネーブル・ライン出力を前記第１の噴射ヒータの前記第２端子と前記少なくとも１つの基板ヒータの前記第２端子との内の少なくとも１つと結合する段階と、
前記選択された少なくとも１つの電力ライン出力を励起する段階と、
前記少なくとも１つの電力ライン出力の前記励起中に前記少なくとも２つのイネーブル・ライン出力の内の少なくとも１つを励起することによって、前記第１の噴射ヒータと前記少なくとも１つの基板ヒータとの内の少なくとも１つに電力を付与する段階と、
の諸段階を含む方法。
【請求項８】
前記少なくとも２つのイネーブル・ライン出力の内の第１のイネーブル・ライン出力を前記第１の噴射ヒータの前記第２端子と結合する段階と、
前記少なくとも２つのイネーブル・ライン出力の内の第２のイネーブル・ライン出力を前記少なくとも１つの基板ヒータの前記第２端子と結合する段階と、
前記第１のイネーブル・ライン出力を励起することによって前記第１の噴射ヒータに電力を付与する段階と、
前記第２のイネーブル・ライン出力を励起することによって前記少なくとも１つの基板ヒータに電力を付与する段階と、
を更に含む、請求項７に記載の方法。
【請求項９】
前記少なくとも２つのイネーブル・ライン出力の内の第１のイネーブル・ライン出力を前記第１の噴射ヒータの前記第２端子と前記少なくとも１つの基板ヒータの前記第２端子とに結合する段階と、
前記少なくとも２つのイネーブル・ライン出力の内の第２のイネーブル・ライン出力を前記第２の噴射ヒータの前記第２端子と前記少なくとも１つの基板ヒータの前記第２端子とに結合する段階と、
前記第１及び第２のイネーブル・ライン出力を選択的に励起することによって、前記第１の噴射ヒータ、前記第２の噴射ヒータ、並びに、前記少なくとも１つの基板ヒータの内の少なくとも１つに電力を付与する段階と、
を更に含む、請求項７に記載の方法。
【請求項１０】
前記第１の噴射ヒータに電力を付与するために、前記第１のイネーブル・ライン出力を個別に励起する段階と、
前記第２の噴射ヒータに電力を付与するために、前記第２のイネーブル・ライン出力を個別に励起する段階と、
前記少なくとも１つの基板ヒータに電力を付与するために、前記第１及び第２のイネーブル・ライン出力を同時に励起する段階と、
を更に含む、請求項９に記載の方法。
【請求項１１】
前記結合段階が、
前記少なくとも２つのイネーブル・ライン出力の内の第１のイネーブル・ライン出力を前記第１の噴射ヒータの前記第２端子と結合することと、前記少なくとも２つのイネーブル・ライン出力の内の第２のイネーブル・ライン出力を前記少なくとも１つの基板ヒータの前記第２端子と結合することとを含む、請求項７に記載の方法。
【請求項１２】
請求項１乃至６の内の何れか一項に記載のインクジェット・プリンタに使用されるように構成された印刷ヘッド部材。
【手続補正２】
【補正対象書類名】明細書
【補正対象項目名】０００３
【補正方法】変更
【補正の内容】
【０００３】
使用中、印刷ヘッド内におけるその複数の噴射ヒータの選択的な起動は、印刷ヘッドの作動温度を増大させる。次いで、印刷ヘッドのこの増大された作動温度は印刷ヘッド内に配置されたインクの温度を対応して増大させる。インク温度の変化はインクの、粘性、表面張力等の物理的特性の変化を引き起こす。印刷媒体上に噴射されるドロップ塊及びインク小滴の速度は、印刷ヘッド内のインク作動温度の変化とともに変化することによって印刷品質に影響することが判明された。
【手続補正３】
【補正対象書類名】明細書
【補正対象項目名】０００４
【補正方法】変更
【補正の内容】
【０００４】
印刷ヘッド内のインクを略所望作動温度に維持する目的のために、少なくとも１つの基板ヒータを提供して印刷ヘッド内の基板上に取り付けることが知られており、それによってより均一化され且つ改善された印刷品質を提供する。基板ヒータは、典型的には、印刷ヘッドの電源投入時、或いは、印刷ヘッド内のインクが略所望温度に維持されるような印刷ヘッドの不動作期間中に起動される。